(57)【要約】      （修正有）【課題】高精度の最適連結角度を有する複数のネジ付き締結具を効率的に設置する為のツールおよび方法の提供。【解決手段】細長いアダプタ４１０は、近位端部および遠位端部と、細長いアダプタの第１端部に装着するトルクを発生させる駆動装置４９０と、駆動装置４９０によって生み出されたトルクを締結具に伝達する為に、細長いアダプタ４１０および駆動装置と係合するトルク伝達ユニットと、を有する。細長いアダプタの遠位端部に係合する締結具設置ツールは、第１部材を含み、第１部材は、遠位端部および平面内に位置決められる２つの突出要素および突出要素間の溝を更に有し、第１部材のうち少なくとも一つは、溝に面する側の遠位端部にノッチと、第１部材と一体的に形成された位置決め部材とを有し、位置決め部材は、第１側面上のリニアマーカーと、第２側面上の角度付きマーカーと、角度付きマーカーおよび溝の間に位置決められるロッカーとを有する。【選択図】図４Ａ
2019206903.tif 000002
【特許請求の範囲】
【請求項１】
第１部材を第２部材に締結する為の締結具設置システムにおいて、
近位端部および遠位端部を有する細長いアダプタと、
前記細長いアダプタの一端部に装着されるトルクを発生させる駆動装置と、
前記駆動装置によって生み出されたトルクを締結具に伝達する為に、前記細長いアダプタおよび前記駆動装置と係合するトルク伝達ユニットと、
本体を有する前記細長いアダプタの前記遠位端部と係合する締結具設置ツールであって、前記本体は、第１部材と、位置決め部材と、軸方向溝と、リニアマーカーおよび角度付きマーカーのうち少なくとも一つとを備え、
前記第１部材は、実質的に平坦なプロファイルを第１平面に有し、
前記位置決め部材は、前記第１部材と一体的に形成され、前記第１部材の溝面および第１側面の前記位置決め部材の遠位端部の間で前記位置決め部材の長さに沿って位置決めされたロッカーを有し、
前記軸方向溝は、前記締結具設置ツールの前記遠位端部から前記近位端部まで通っており、
前記リニアマーカーは、前記第１平面内の前記本体の外部表面上にあり、前記角度付きマーカーは、前記第２平面内の前記本体の前記外部表面上にある、締結具設置システム。
【請求項２】
前記細長いアダプタは、伸縮式管組立体である、請求項１に記載の締結具設置システム。
【請求項３】
前記伸縮式管組立体は、キー溝を更に備える、請求項２に記載の締結具設置システム。
【請求項４】
前記伸縮式管組立体は、第１管状部材を備え、前記第１管状部材は、前記駆動装置と係合するように構成可能であり、第２管状部材と摺動自在に係合可能である、請求項２に記載の締結具設置システム。
【請求項５】
前記第１部材のうち少なくとも一つは、溝に面する側の遠位端部にノッチを有する、請求項１に記載の締結具設置システム。
【請求項６】
前記細長いアダプタと取り外し自在に係合する位置表示器ツールを更に備える、請求項１に記載の締結具設置システム。
【請求項７】
前記位置表示器ツールは、部分的に流体で満たされたバイアルと係合する一対の装着部材を更に備える、請求項６に記載の締結具設置システム。
【請求項８】
前記位置表示器ツールは、レーザポインタを更に備える、請求項６に記載の締結具設置システム。
【請求項９】
前記駆動装置は、電池式ドリルおよび電気コード付きドリルのうちの一つである、請求項１に記載の締結具設置システム。
【請求項１０】
一つ又は複数の二次拡張部および一つ又は複数の延長コネクタを更に備え、前記一つ又は複数の二次拡張部および一つ又は複数の延長コネクタは、前記細長いアダプタとモジュール式に係合する、請求項１に記載の締結具設置システム。
【請求項１１】
本体を有する前記細長いアダプタの前記遠位端部と係合する締結具設置ツールにおいて、前記本体は、第１部材と、位置決め部材と、軸方向溝と、リニアマーカーおよび角度付きマーカーのうち少なくとも一つとを備え、
前記第１部材は、第１平面に実質的に平面プロファイルを有し、
前記位置決め部材は、前記第１部材と一体的に形成され、前記第１部材の溝面および第１側面の前記位置決め部材の遠位端部の間で前記位置決め部材の長さに沿って位置決めされたロッカーを有し、
前記軸方向溝は、前記締結具設置ツールの前記遠位端部から前記近位端部まで通る、締結具設置ツール。
【請求項１２】
前記第１部材は、溝に面する側の遠位端部にノッチを有する、請求項１１に記載の締結具設置ツール。
【請求項１３】
前記第１部材の前記遠位端部は、湾曲していること、平坦であること、角度が付けられていること、テーパが付けられていることのいずれかである、請求項１１に記載の締結具設置ツール。
【請求項１４】
前記位置決め部材は、ロッカーを有し、前記ロッカーは、前記第１部材の溝面および第１側面の前記位置決め部材の遠位端部の間で前記位置決め部材の長さに沿って位置決めされている、請求項１１に記載の締結具設置ツール。
【請求項１５】
前記位置決め部材は、第２ロッカーを有し、前記第２ロッカーは、前記第１部材の溝面および第２側面の前記位置決め部材の遠位端部の間で前記位置決め部材の長さに沿って位置決めされている、請求項１４に記載の締結具設置ツール。
【請求項１６】
前記第２ロッカーは、くびれた（hourglass）形状を有する、請求項１５に記載の締結具設置ツール。
【請求項１７】
一つ又は複数のリニアマーカーおよび一つ又は複数の角度付きマーカーを更に備え、前記一つ又は複数のリニアマーカーのうちの少なくとも一つは、前記第１平面内の外部表面上に位置決めされ、前記一つ又は複数の角度付きマーカーは、前記第２平面内の前記外部表面上に位置決めされ、前記一つ又は複数のリニアマーカーおよび一つ又は複数の角度付きマーカーは、前記締結具設置ツールの前記本体の残部とは視覚的に異なる、請求項１１に記載の締結具設置ツール。
【請求項１８】
リニアマーカーは、前記本体の第１側面上、前記本体の第２側面上に位置決めされる、請求項１１に記載の締結具設置ツール。
【請求項１９】
リニアマーカーは、前記締結具設置ツールの前記本体の長さの５０％を超える長さを有する、請求項１１に記載の締結具設置ツール。
【請求項２０】
角度付きマーカーは、前記本体の第１側面上および前記本体の第２側面上に位置決めされる、請求項１１に記載の締結具設置ツール。
【請求項２１】
角度付きマーカーは、前記ロッカーの近傍に位置決められる、請求項１１に記載の締結具設置ツール。
【請求項２２】
本体を有する細長いアダプタの遠位端部と係合する締結具設置ツールにおいて、前記本体は、第１部材と、位置決め部材と、軸方向溝とを備え、
前記第１部材は、実質的に平坦なプロファイルを第１平面に有する一対の係合部材を備え、
前記位置決め部材は、前記第１部材と一体的に形成され、前記第１部材の溝面および第１側面の前記位置決め部材の遠位端部の間で前記位置決め部材の長さに沿って位置決めされたロッカーを有し、
前記軸方向溝は、前記締結具設置ツールの前記遠位端部から前記近位端部まで通る、締結具設置ツール。
【請求項２３】
前記第１部材は、溝に面する側の遠位端部でノッチを有する、請求項２２に記載の締結具設置ツール。
【請求項２４】
前記第１部材の前記遠位端部は、湾曲していること、平坦であること、角度が付けられていること、テーパが付けられていることのいずれかである、請求項２２に記載の締結具設置ツール。
【請求項２５】
前記位置決め部材は、第２ロッカーを有し、前記第２ロッカーは、前記第１部材の溝面および第２側面の前記位置決め部材の遠位端部の間で前記位置決め部材の長さに沿って位置決めされる、請求項２２に記載の締結具設置ツール。
【請求項２６】
前記ロッカーは、くびれた形状を有する、請求項２２に記載の締結具設置ツール。
【請求項２７】
前記第１平面において前記本体の外部表面に少なくとも一つのリニアマーカーと、前記第２平面において前記本体の前記外部表面に角度付きマーカーとを更に備える、請求項２２に記載の締結具設置ツール。
【請求項２８】
前記第１平面内の外部表面上の前記リニアマーカー、前記第２平面内の前記外部表面上の前記角度付きマーカーのうち少なくとも一つは、前記締結具設置ツールの前記本体の残部とは視覚的に異なっている、請求項２７に記載の締結具設置ツール。
【請求項２９】
リニアマーカーは、前記本体の第１側面および前記本体の第２側面に位置決められる、請求項２７に記載の締結具設置ツール。
【請求項３０】
リニアマーカーは、前記締結具設置ツールの前記本体の長さの５０％を超える長さを有する、請求項２７に記載の締結具設置ツール。
【請求項３１】
前記角度付きマーカーは、前記本体の第１側面上および前記本体の第２側面上に位置決められる、請求項２７に記載の締結具設置ツール。
【請求項３２】
前記角度付きマーカーは、前記ロッカーの近傍に位置決められる、請求項２７に記載の締結具設置ツール。
【請求項３３】
取外し可能な位置表示器ツールにおいて、
第１端部、第２端部、凸状外部表面、凹状内部表面を有する半円形本体と、
前記凸状外部表面から延びる装着部材と、
を備え、
前記第１端部および前記第２端部のうち少なくとも一つが、舌状および切欠き形状表面を有する、取外し可能な位置表示器ツール。
【請求項３４】
前記装着部材によって固定された密封バイアルを更に備える、請求項３３に記載の取外し可能な位置表示器ツール。
【請求項３５】
前記装着部材によって固定されたレーザポインタを更に備える、請求項３３に記載の取外し可能な位置表示器ツール。
【請求項３６】
少なくとも一つのフランジを更に備える、請求項３３に記載の取外し可能な位置表示器ツール。
【請求項３７】
前記装着部材は、第１装着部材および第２装着部材を更に備え、前記第１装着部材は、第１の位置で前記凸状外部表面上に位置決められ、前記第２装着部材は、第２の位置で前記凸状外部表面上に位置決められ、前記第２の位置は、前記取外し可能な位置決め表示器ツールの中心軸に対して約１．９７インチだけオフセットされている、請求項３３に記載の取外し可能な位置表示器ツール。
【発明の詳細な説明】
【背景】
【０００１】
[0001]分野：本発明は、一般的に、建設中、構造部材を締結する為のツールおよび方法に関する。より具体的には、開示されたツールおよび方法は、ラフタ、屋根板、つなぎ梁、コード、ジョイスト、最上板、ポスト、スタッド、ストラットのようなトラスを含む木材フレーミングコンポーネントに締結具を設置する。
【０００２】
[0002]背景：建築規準は、通常、国際居住規準や国際建築規準などの一連の普遍的建築規準に基づく。普遍的建築規準は、建設中、木材フレーミングコンポーネントを固定する為の要件を規定する。規準が通常要求することは、ラフタのような最上板および屋根トラスが、構造物の存続期間中に受ける可能性のある実質的な揚圧力に耐えるように計算された予め確立された連結力基準に従うように連結されることである。強風の揚圧力および／または地震活動の影響を受けやすい場所では、最上板およびトラス間の強い力に耐える連結が、地域建築規準によって要求される場合がある。たとえば、最上板および屋根トラスの間の必要な連結を提供する為に、数多くの技術、締結具、ハードウェハ用品が使用することができる。
【０００３】
[0003]十分な保持力で枠組みコンポーネントを固定するため、ネジ付き締結具の各々は、たとえば、最上板を通って、垂直に対して約２２．５度の角度でラフタに打ち込まれる。複数のネジ付き締結具を固定する方が、ハリケーンクリップや他のストラップ型コネクタを取り付けるより効率的であるが、妥当な精度範囲で２２．５度の角度で一貫して実施することは困難である。分度器、水準器および他のツールを使用することができるが、実際、そのようなツールは不器用であり、現場で使用することは困難であり、時間もかかる。
【０００４】
[0004]使用するのが容易であり、一定の角度で建築用フレームワークコンポーネントを連結する為のネジ付き締結具の使用を容易にするツールおよび方法が必要である。
【０００５】
[0005]この開示内容は、一貫して高精度の最適連結角度を有する複数のネジ付き締結具を効率的に設置する為のツールおよび方法の必要性に対処する。
【０００６】
【概要】
【０００７】
[0006]開示内容の態様は、締結具設置システムを目的とする。締結具設置システムは、モジュラー式でもよく、使用者が、梯子に登ることなく、締結具部材の設置の達成を可能にする。適した締結具設置システムは、第１部材を第２部材に締結するように構成されており、近位端部および遠位端部を有する細長いアダプタと、細長いアダプタの第１端部に装着され、トルクを発生させる駆動装置と、細長いアダプタおよび駆動装置に係合し、前記駆動装置によって生み出されたトルクを締結具に伝達するトルク伝達ユニットと、本体を有する細長いアダプタの遠位端部と係合する締結具設置ツールと、を備え、本体は、第１部材と、位置決め部材と、軸方向溝と、少なくとも一つのリニアマーカーとを備え、第１部材は、第１平面で実質的に平坦プロファイルを有し、位置決め部材は第１部材と一体的に形成され、第１側面の位置決め部材の遠位端部および第１部材の溝面の間で、位置決め部材の長さに沿って位置決めされたロッカーを有し、軸方向溝は、締結具設置ツールの遠位端部から近位端部まで通り、少なくとも一つのリニアマーカーは、第１平面において本体の外部表面上にあり、角度付きマーカーは、第２平面において本体の外部表面上にある。管組立体は、伸縮式管組立体でもよい。さらに、伸縮式管組立体は、キー溝を更に備えてもよい。一部の構成において、伸縮式管組立体は、駆動装置と係合するように構成可能であり、第２管状部材と摺動自在に係合可能な第１管状部材を備える。少なくとも一つの第１部材は、溝に面する側の遠位端部にノッチを有する。同様に、位置表示器ツールが設けられてもよい。位置表示器ツールは、取り外せるように細長いアダプタと係合するように構成可能である。さらに、位置表示器ツールは、部分的に流体が満たされたバイアルと係合する一対の装着部材を更に備えることができる。一部の構成において、位置表示器ツールは、レーザポインタを更に備える。駆動装置は、電池式ドリルおよび電気コード付ドリルのうち一つでもよい。ロッカーは、湾曲した表面を締結具設置ツールの平面に沿って呈する。使用中、ロッカーは、設置表面とのロッカーの接触を維持し、設置表面に対して装置を回転させることによって、締結具設置ツールが設置角度を制御することを可能にする。
【０００８】
[0007]開示内容の他の態様は、締結具設置ツールを目的とする。適した締結具設置ツールは、本体を有する細長いアダプタの遠位端部と係合するように構成可能であり、本体は、第１部材と、位置決め部材と、軸方向溝と、を備え、第１部材は、その接線方向の部材が第１平面において実質的に平坦なプロファイルを有し、位置決め部材は、第１部材と一体的に形成され、第１側面において、位置決め部材の遠位端部および第１部材の溝面の間で、位置決め部材の長さに沿って位置決めされたロッカーを有し、軸方向溝は、締結具設置ツールの遠位端部から近位端部まで通る。少なくとも一部の構成において、少なくとも一つの第１部材は、溝に面する側の遠位端部でノッチを有する。さらに、第１部材の遠位端部は、湾曲されているか、平坦であるか、角度が付けられているか、テーパが付けられている。位置決め部材は、ロッカーを含むように構成可能であり、ロッカーは、第１側面で、位置決め部材の遠位端部および第１部材の溝面の間の位置決め部材の長さに沿って位置決めされる。さらに、位置決め部材は、第２ロッカーを有することができ、第２ロッカーは、第２側面で、位置決め部材の遠位端部および第１部材の溝面の間の位置決め部材の長さに沿って位置決めされる。少なくとも一部の構成において、ロッカーは、くびれた形状を有する。第１平面における外部表面上のリニアマーカーおよび第２平面における外部表面上の角度付きマーカーのうち少なくとも一つは、締結具設置ツールの本体の残部と視覚的に異なってもよい。さらに、リニアマーカーは、本体の第１側面および第２側面に位置決めされてもよい。一部の構成において、リニアマーカーは、締結具設置ツールの本体の長さの５０％を超える長さを有する。角度付きマーカーも、本体の第１側面および本体の第２側面に位置決めされてもよい。一部の構成において、角度付きマーカーは、ロッカーの近傍に位置決めされてもよい。
【０００９】
[0008]開示内容の更に他の態様は、細長いアダプタの遠位端部と係合するように構成可能な締結具設置ツールを目的とする。適した締結具設置ツールは、第１部材と、位置決め部材と、軸方向溝とを備えた本体を有し、第１部材は、その係合可能な部材が第１平面において実質的に平坦なプロファイルを有し、位置決め部材は、第１部材と一体的に形成され、第１側面で、位置決め部材の遠位端部および第１部材の溝面の間の位置決め部材の長さに沿って位置決めされたロッカーを有し、軸方向溝は、締結具設置ツールの遠位端部から近位端部まで通っている。一部の構成において、少なくとも一つの第１部材は、溝に面する側の遠位端部でノッチを有する。さらに、第１部材の遠位端部は、湾曲しているか、平坦か、角度が付けられているか、テーパが付けられている。位置決め部材は、第２ロッカーを有することができ、第２ロッカーは、第２側面で、位置決め部材の遠位端部および第１部材の溝面の間の位置決め部材の長さに沿って位置決めされる。一部の構成において、ロッカーはくびれた形状を有する。さらに、ツールは、第１平面内の本体の外部表面上のリニアマーカー、第２平面内の本体の外部表面上の角度付きマーカーのうち、少なくとも一つを備えることができる。第１平面内の本体の外部表面上のリニアマーカー、第２平面内の本体の外部表面上の角度付きマーカーのうち少なくとも一つは、締結具設置ツールの本体の残部と視覚的に異なっている。また、リニアマーカーは、本体の第１側面および本体の第２側面に位置決め可能である。また、リニアマーカーは、締結具設置ツールの本体の長さの５０％を超える長さを有してもよい。一部の構成において、角度付きマーカーは、本体の第１側面および本体の第２側面に位置決めされる。また、角度付きマーカーも、ロッカーの近傍に位置決め可能である。
【００１０】
[0009]開示内容の更に他の態様は、取外し可能な位置表示器ツールを目的とする。適した位置表示器ツールは、第１端部、第２端部、凸状外部表面、凹状内部表面を有する半円状本体と、凸状外部表面から延びた装着部材と、を備え、第１端部および第２端部のうち少なくとも一つは、舌部および切欠き（groove）状表面を有する。一部の構成において、装着部材によって固定された密封バイアルおよび／または装着部材によって固定されたレーザポインタ。さらに、位置表示器ツールは、少なくとも一つのフランジを更に備えることができる。さらに、装着部材は、第１装着部材および第２装着部材を更に備え、第１装着部材は、第１の位置において凸状外部表面に位置決めされ、第２装着部材は、第２の位置において、凸状外部表面上に位置決めされ、第２の位置は、取外し可能な位置表示器ツールの中心軸に対して約１．９７インチだけオフセットされている。
【００１１】
[0010]開示内容の他の態様は、締結具を枠組みコンポーネントに設置する方法を目的とする。この方法は、開示内容の締結具設置ツールを駆動装置に結合させるステップを含む。一部の方法において、締結具設置ツールは、アダプタに結合可能であり、アダプタは、次に、駆動装置に結合される。更に他の方法において、開示内容の締結具設置ツールは、駆動装置に結合され、一つ又は複数の延長コンポーネントによって駆動装置から分離され、一つ又は複数の延長コンポーネントは、一つ又は複数の延長コネクタを介して連結される。更に他の方法において、一つ又は複数の位置表示器ツールは、アダプタまたは延長コンポーネントと係合可能である。使用中、開示内容の締結具設置ツールは、使用者から離れた様々な距離で駆動装置と共に使用可能であり、使用者は、たとえば、梯子を登ることなく、複数の距離で締結具を設置することができる。
【００１２】
【文献の援用】
【００１３】
[0011]本書中で言及される全ての刊行物、特許、特許出願は、あたかも、それぞれの個々の刊行物、特許、特許出願が具体的かつ個別に参照により組み込まれることが示されるのと同程度に、参照により本書に組み込まれる。
【００１４】
[0012]Lay-in Modular Ceiling用ARMSTRONG CEILINGSYSTEMS, Installation Manual
【００１５】
[0013]Metal Moving Blade & Vialを備えたGemRed 82302Digital Level Angle Finder Protractor Goniometer
【００１６】
[0014]JOHNSON, Dot Laserを備えた21"Digital Magnetic Level & Angle Locator, Model 40-6065
【００１７】
[0015]5/8/2013に公開されたHe YongによるCN-202922337-U
【００１８】
[0016]6/3/2016に公開されたGissinger等によるFR-3029128-A1
【００１９】
[0017]8/26/2010に公開されたTeboによるUS-2010/0213237-A1
【００２０】
[0018]8/16/2012に公開されたVandenbergによるUS-2012/0204409-A1
【００２１】
[0019]6/12/2014に公開されたTeboによるUS-2014/0161561-A1
【００２２】
[0020]2/11/1975に発行されたWolfによるUS-3,864,839-A
【００２３】
[0021]1/2/1979に発行されたCastoによるUS-4,132,496-A
【００２４】
[0022]11/22/1988に発行されたHeinsius等によるUS-4,785,544-A
【００２５】
[0023]5/8/1990に発行されたMaierによるUS-4,922,621-A
【００２６】
[0024]8/7/1990に発行されたKnetzerによるUS-4,945,799-A
【００２７】
[0025]11/8/1994に発行されたHuangによるUS-5,361,504-A
【００２８】
[0026]4/21/1998にGrahamによって発行されたUS-5,740,705-A
【００２９】
[0027]8/11/1998に発行されたAhdootによるUS-5,791,207-A
【００３０】
[0028]8/29/2000にHabermehlによって発行されたUS-6,109,145-A
【００３１】
[0029]10/16/2001に発行されたWelteによるUS-6,301,997-B1
【００３２】
[0030]4/2/2002に発行されたHabermehlによるUS-6,363,818-B1
【００３３】
[0031]7/30/2002にHabermehlによって発行されたUS-6,425,306-B1
【００３４】
[0032]10/29/2002に発行されたAllenによるUS-6,470,579-B2
【００３５】
[0033]12/10/2002に発行されたPfeifer等によるUS-6,493,085-B1
【００３６】
[0034]4/22/2003に発行されたMyrickによるUS-6,550,152-B2
【００３７】
[0035]11/18/2003に発行されたHabermehlによるUS-6,647,836-B1
【００３８】
[0036]3/8/2005に発行されたHabermehl等によるUS-6,862,963-B2
【００３９】
[0037]1/31/2006に発行されたHaytayanによるUS-6,990,731-B2
【００４０】
[0038]3/27/2007に発行されたDavisによるUS-7,194,812-B2
【００４１】
[0039]10/9/2007に発行されたDever等によるUS-7,278,223-B1
【００４２】
[0040]3/11/2008に発行されたHabermehlによるUS-7,341,146-B2
【００４３】
[0041]5/12/2009に発行されたStrutt等によるUS-7,530,175-B2
【００４４】
[0042]8/2/2011に発行されたRoweによるUS-7,987,608-B2
【００４５】
[0043]2012年9月4日に発行されたFulbrightによるUS 8,256,104 B2
【００４６】
[0044]2/19/2013に発行されたMartel等によるUS-8,376,203-B2
【００４７】
[0045]3/26/2013に発行されたTeboによるUS-8,403,194-B2
【００４８】
[0046]2/17/2015に発行されたVandenbergによるUS-8,955,210-B2
【００４９】
[0047]9/29/2015に発行されたVandenbergによるUS-9,144,896-B2
【００５０】
[0048]9/27/2016に発行されたGuthrie等によるUS-9,452,514-B2
【図面の簡単な説明】
【００５１】
[0049]本発明の新規な特徴は、特に、添付された特許請求の範囲に記載されている。本発明の特徴および利点の良好な理解は、本発明の原理が利用される図示された実施形態を記載する以下の詳細な説明を参照することによって得られる。
[0050]
【図１Ａ】図１Ａは、締結具設置ツールを図示する。
【図１Ｂ】図１Ｂは、締結具設置ツールを図示する。
【図１Ｃ】図１Ｃは、締結具設置ツールを図示する。
【図１Ｄ】図１Ｄは、締結具設置ツールを図示する。
【図１Ｅ】図１Ｅは、締結具設置ツールを図示する。
【図１Ｆ】図１Ｆは、締結具設置ツールを図示する。
【図２Ａ】図２Ａは、水準器ツールの構成を図示する。
【図２Ｂ】図２Ｂは、水準器ツールの構成を図示する。
【図２Ｃ】図２Ｃは、水準器ツールの構成を図示する。
【図２Ｄ】図２Ｄは、水準器ツールの構成を図示する。
【図３Ａ】図３Ａは、水準器ツールの他の構成を図示する。
【図３Ｂ】図３Ｂは、水準器ツールの他の構成を図示する。
【図３Ｃ】図３Ｃは、水準器ツールの他の構成を図示する。
【図３Ｄ】図３Ｄは、水準器ツールの他の構成を図示する。
【図４Ａ】図４Ａは、駆動装置および伸縮式アダプタを備えた締結具設置ツールを図示する。
【図４Ｂ】図４Ｂは、伸縮式アダプタの一部分の詳細である。
【図４Ｃ】図４Ｃは、伸縮式アダプタの近位端部の詳細である。
【図４Ｄ】図４Ｄは、図４Ａの締結具設置ツールの横断面である。
【図５Ａ】図５Ａは、使用中の締結具設置ツールを図示する。
【図５Ｂ】図５Ｂは、使用中の締結具設置ツールを図示する。
【図５Ｃ】図５Ｃは、使用中の締結具設置ツールを図示する。
【図５Ｄ】図５Ｄは、使用中の締結具設置ツールを図示する。
【図５Ｅ】図５Ｅは、使用中の締結具設置ツールを図示する。
【図６】図６は、近位端部で水準器ツールと係合するハンドルを図示する。
【図７Ａ】図７Ａは、アダプタに連結された締結具設置を図示する。
【図７Ｂ】図７Ｂは、アダプタから取り外された締結具設置ツールを図示する。
【図７Ｃ】図７Ｃは、アダプタと係合されずに延長部と係合する締結具設置ツールを図示する。
【図７Ｄ】図７Ｄは、延長部およびアダプタの両方と係合する締結具設置ツールを図示する。
【図７Ｅ】図７Ｅは、延長部およびアダプタと係合する締結具設置ツールの横断面を図示する。
【詳細な説明】
【００５２】
[0060]締結具設置ツール
【００５３】
[0061]図１Ａ−図１Ｆは、締結具設置ツール１００を図示する。図１Ａは、締結具設置ツール１００の第１平面図である。締結具設置ツール１００は、近位端部２および遠位端部４を有する。遠位端部４は、図１Ａの第１平面図において第１の厚さを有し、これは、第１平面図における近位端部２の厚さとは異なる。締結具設置ツール１００の最遠位端部は、上部表面１１１および下部表面１１１’と共に係合部材１１０を形成する。上部表面１１１および下部表面１１１’は、第１平面図で見るとき、互いに平行でもよく、或いは、実質的に平行でもよい。係合部材１１０の長さは、約０．９０インチから約１．２５インチであり、好ましくは、０．９７５インチであり、その厚さは、約０．２００インチから約０．４００インチであり、好ましくは、約０．３００インチである。
【００５４】
[0062] 係合部材１１０の最遠位端部１１３は、（図示のように）丸い端部を有するように構成可能である。他の構成において、最遠位端部１１３は、たとえば、平坦であり（例えば、上部表面１１１及び下部表面１１１’に対して垂直な端部であり）、先がとがっており、テーパが付けられ、或いは、角度が付けられる。締結具設置ツール１００の長さの少なくとも一部分に沿って、ラインを形成するリニアマーカー１１２を設けることができる。ラインマーカー１１２は、締結具設置ツール１００の近位端部２から遠位端部４までの全長の、例えば５０％以上の長さを有してもよい。ラインマーカー１１２は、表面処理を使用すること、コーティングを加えること、或いは、オーバーモールドすることによって、達成することができる。そのため、たとえば、全体の締結具設置ツール１００が一つの色（例えば、黒色）で、リニアマーカー１１２が別の色（例えば、オレンジ色）であるという結果を達成することができる。リニアマーカー１１２は、締結具設置ツール１００の残部と視覚的に異なるように構成される。
【００５５】
[0063]係合部材１１０の近位端部２は、近位端部２が位置決め部材１２０と一体に作られるか、或いは、締結具設置ツール１００が最終組立品であるときには単一体として作動するように、位置決め部材１２０と一体的に形成される。位置決め部材１２０は、ネック１１９，１１９’で厚さが増加する。位置決め部材１２０の両側は、実質的に平坦な位置決め部材１２１，１２１’を有する。
【００５６】
[0064]ロッカー１３０は、近位端部２から遠位端部４までの間の位置決め部材１２０の長さに沿って、ほぼ中間に位置決められる。角度θは、締結具が設置される角度である（図５Ｅを参照）。角度の大きさは、ロッカー１３０の接触位置および遠位端部１１３の間の距離に比例する。当業者が分かるように、ロッカーの大きさ及び位置は、係合部材１１０の大きさ及び位置に関連している。
【００５７】
[0065]ロッカー１３０は、平坦な位置決め部材１２１，１２１’の実質的に平坦な表面から延びる湾曲表面を形成する。ロッカー１３０は、図示されるように、支点を与える湾曲平面でもよく、この支点は、締結具設置ツール１００が、ラフタのような目標表面に対して位置決めされることを可能にする。これは、使用者が締結具設置ツール１００の遠位端部４を、近位端部２から遠位端部４までの軸に沿って前後に旋回させることを可能にする。舌部および切欠き形状１５０，１５２は、締結具設置ツール１００の近位端部２に設けることができる。舌部及び切欠き形状１５０，１５２は、たとえば、締結具設置ツール１００を、図２−図３に示されるような水準器ツールと整列させる為に使用できる。
【００５８】
[0066]締結具設置ツール１００の一方の側から、反対側まで通る孔１４６が設けられている。孔１４６には、ネジのような取付け部材を貫通させることできる。孔１４６は、締結具設置ツール１００の長手方向軸から９０度または示されたものから９０度に位置決め可能である。たとえば、締結具設置ツール１００を伸縮部材に固定する為に、ネジを孔１４６に貫通させることができる。
【００５９】
[0067]位置決め部材１２０の長さは、約２．０インチから約４．０インチであり、好ましくは、約３．０インチである。位置決め部材１２０の厚さは、その遠位端部において、約０．４０インチから約０．７５インチ、好ましくは、０．６１０インチであり、その近位端部において、約０．９０インチから約１．１２５インチ、好ましくは、約１．１１５インチである。ロッカー１３０は、位置決め部材の表面から、約０．４０インチから約０．７５インチ、好ましくは、０．５６５インチ延びている。通常、寸法は、たとえばスタッドとの接触点間の距離が所定の設置角度になるように比例する。設置角度の為の適した範囲は、ラフタがスタッドの中央にあるとき、たとえば、４度〜１４度である。
【００６０】
[0068]図１Ｂは、図１Ａのｘ軸を中心として９０度垂直に回転した締結具設置ツールの平面図であり、ここで、ｘ軸は、ｘ−ｙ−ｚ方向の任意の軸を指す。図１Ａに示される第１平面において中実部材に見える係合部材１１０は、第２平面において、突起部１１４，１１６と、突起部１１４，１１６の間に溝１１５とを有する。突起部１１４，１１６の間の溝１１５は、近位端部に溝面１１８を有する。溝面１１８は、突起１１４，１１６に対して垂直でもよい。さらに、突起１１４，１１６は、図示のように溝１１５内部で互いに平行、或いは、実質的に平行な側面を有してもよい。他の構成において、突起１１４，１１６は平行でなくてもよい。溝１１５は、締結具設置ツール１００の遠位端部から、約０．７５インチから約１．１１５インチ、好ましくは、０．９７５インチの長さを有し、突起１１４，１１６間に約０．３０インチから約０．４０インチ、好ましくは、約０．５００インチの幅を有する。溝面１１８の他の形状は、開示内容の範囲から逸脱することなく使用可能であり、凸状、凹状、傾斜、角度付けられたものを含むが、これらに限定されるものではない。突起１１４，１１６の遠位端部は、溝１１５に面する突起１１４，１１６の一方または両方に、内側に位置決めされるノッチ１１７，１１７’を有してもよい。位置決め部材１２０は、一対の角度付きマーカー１４２，１４４を有する。一対の角度付きマーカー１４２，１４４は、表面処理によって、コーティングまたはオーバーモールディングを加えることによって達成できる。そのため、たとえば、全体の装置は、一色（例えば、黒色）および角度付きマーカー１４２，１４４は、別の色（例えば、オレンジ色）という結果を達成する。一対の角度付きマーカー１４２，１４４は、締結具設置ツール１００の残部と視覚的に異なるように構成される。角度付きマーカー１４２，１４４の間の角度Ａ１は、約３５度から約５５度、好ましくは、約４５度である。角度付きマーカー１４２，１４４のうちの一つが、（図５に示されるように）垂直部材に対して平行であるか水平部材に対して平行であるかを使用者が視覚的に判断できるように、角度付きマーカー１４２，１４４には、近位端部２および遠位端部４の間の直線状の軸から、ある程度外れた角度が付けられている。
【００６１】
[0069]図１Ｃは、図１Ａ−図１Ｂの締結具設置ツール１００の、近位端部２からの図である。締結部設置ツール１００を近位端部２から遠位端部４まで貫通する軸方向溝１８０が設けられ、締結具設置ツール１００の使用中、ここを（図５に示される）締結具が通る。
【００６２】
[0070]図１Ｄは、図１Ａ−図１Ｂの締結具設置ツール１００の、軸方向溝１８０の下方の、遠位端部４からの図である。
【００６３】
[0071]図１Ｅ−図１Ｆは、図１Ａ−図１Ｂの締結具設置ツール１００の斜視図である。
【００６４】
[0072]位置表示器ツール
【００６５】
[0073]図２Ａ−図２Ｄは、水準器ツール２００のような位置表示器ツールの構成を図示する。水準器ツール２００は、（より詳細に図４に示される）取り外せるように管状部材４１２と係合するように構成されている。水準器ツール２００は、約１．６０インチから約２．１０インチ、好ましくは、約１．８８６インチの長さを有し、約０．９０インチから約１．３０インチ、好ましくは、約１．１１５インチの直径を有する。水準器ツール２００は、湾曲した内側表面を有する部分的に管状形状を有し、湾曲した内側表面は、図２に示されるように、水準器ツール２００が管状部材４１２と係合することを可能にする為に長さに沿って開放端部２０２を有する。（図２Ｄに示された）湾曲した内側表面は、水準器ツール２００の全長と実質的に同一の長さを有し、約０．６インチから約１．２インチ、好ましくは、約０．８７５インチの、中心線を横切る直径を有する。部分的な管状形状は、３６０度円形物の約２２５度から３６０度円形物の約２７５度、好ましくは、約２５０度でもよい。他の形状も、開示範囲を逸脱することなく使用できる。
【００６６】
[0074]水準器ツール２００の開放端部２０２の片側（即ち、管状部材４１２と係合する端部）にフランジ２５０，２５０’を設けることができる。舌部及び切欠きインタフェースを呈するフランジ２５０，２５０’の一方または両方は、水準器ツール２００の開放端部２０２の全長に沿って延びてもよい。管状部材に対する簡単な取付けの為にフランジを設けることができる。気泡水準器は、水準器ツール２００の外部表面２０４上に位置決められる。気泡水準器は、バイアル２３０を有し、バイアル２３０は、僅かに湾曲し、バイアル２３０の片側で装着部材２１０によって保持されている。
【００６７】
[0075]装着部材２１０，２２０は、水準器ツール２００の外部表面から延びている。図示されているように、装着部材２１０，２２０は、外部表面２０４上で互いに平行ではない。しかしながら、装着部材２１０，２２０は、一部の構成において平行でもよい。装着部材２１０，２２０を、それらの中心を通る共通軸を有するように構成できる。一方の装着部材２１０は、近位端部２に近いが、他方の装着部材２２０は、近位端部２から離れており、遠位端部４に近い。締結具を設置するのに締結具設置ツール１００が最適位置にあるとき、使用者は、操作中、バイタル内の気泡２４０を妨害されずに見ることができ、締結具を設置するのに締結具設置ツール１００が最適位置にないとき、妨害されて見えるような装着部材２１０，２２０の間隔になっている。
【００６８】
[0076]バイアル２３０は、湾曲したガラスまたはプラスチックバイアルでもよい。バイアル２３０は、不完全に液体で満たされている。バイアルに適した液体は、有色アルコールのような有色液体である。バイアルは、僅かに上方に湾曲しているので、第１装着部材２１０に係合する端部と第２装着部材２２０に係合する端部との間のバイアル２３０の軸が、たとえば、最上板２０または垂直スタッド３０（図５に図示）に対して水平または垂直であるとき、流体内の気泡２４０は、本来、バイアル２３０の長さに沿った中心位置にある。僅かな傾斜で、気泡２４０は、バイアル２３０の中心位置から離れ、バイアル２３０の第１端部または第２端部に向かって移動する。バイアル２３０内部の気泡２４０の移動は、水平（レベル）又は垂直（測鉛）位置に達したかを使用者が判断するのに役立つ。遠位端部４のような、水準器ツール２００の端部は、舌部及び切欠き２５２形状を有してもよい。舌部及び切欠き形状２５２は、水準器ツール２００を、たとえば、図１の締結具設置ツール１００と整列させるのに使用可能である。他の構成において、水準器ツール２００の端部は、平坦でもよい。図６は、舌部及び切欠き形状２５２をツールの両端部に有する水準器ツール２００を図示する。舌部及び切欠き２５２の近位端部は、図６に図示するように、ハンドル６１０と係合するように構成されてもよい。
【００６９】
[0077]図２Ｂは、凸状湾曲した外部表面、装着部材２１０，２２０のオフセット位置決めを示す第１側面からの、図２Ａの水準器ツール２００の図である。図２Ｃは、第２側面からの、図２Ａの水準器ツール２００の図であり、凹状湾曲した内部表面を示す。図２Ｄは、図２Ｂの図から９０度回転された水準器ツール２００を図示する。この図から明らかであるのは、半円形状を備えた開放端部２０２、中心線から離れて延びるフランジ２５０である。
【００７０】
[0078]装着部材２１０，２２０は、図２Ｄに示されるように、側面から見たとき、逆「Ｖ」又は逆「Ｕ」を形成してもよい。装着部材２１０，２２０の、この配向は、できるだけ多くの光がバイアルを通過することを可能にし、これが、使用者に良好な視界を与える。一部の構成において、左右対称部が使用可能であり、これは、舌部及び切欠き表面を形成するフランジが水準器ツール２００の両側に位置決めされることを可能にする。
【００７１】
[0079]図３Ａ−図３Ｄは、位置表示器ツール３００の構成を図示する。位置表示器ツール３００は、図４に示されるように、取外し可能に管状部材４１２を係合するように構成されている。位置表示器ツール３００は、約１．６０インチから約２．２０インチ、好ましくは、約１．８８６インチの長さと、約０．８０インチから約１．２０インチ、好ましくは、約１．０インチの直径とを有する。位置表示器ツール３００は、湾曲した内部表面を有する部分的に管状の形状を有し、この湾曲した内部表面は、位置表示器ツール３００が図４に示されるような管状部材４１２と係合することを可能にするため、長さに沿って開放端部３０２を有する。（図３Ｄに示された）湾曲した内部表面は、約１．６０インチから約２．２０インチ、好ましくは、約１．８８６インチの長さと、約０．５０インチから約１．０インチ、好ましくは、約０．７５インチの、中心線を横切る直径とを有する。部分的に管状の形状は、３６０度円形物の約２２５度から３６０度円形物の約２７５度、好ましくは、約２５０度が可能である。他の形状は、開示内容の範囲から逸脱することなく使用可能である。
【００７２】
[0080]水準器ツール３００の開放端部３０２の片側にフランジ３５０，３５０’を設けることができる。一方または両方のフランジ３５０，３５０’は、位置表示器ツール３００の開放端部３０２の全長に沿って延びてもよい。レーザ素子３３０は、装着部３２０内部に位置し得る。位置表示器ツール３００の外部表面３０４上に一体的に形成された連結部材３２８上に装着部３２０が位置決めされる。レーザ素子の高さは、図５Ｃにおいて後述されるようにネジが設置されるとき、レーザ光がトラス又はラフタ上に依然として見えるような高さである。レーザ光を可視化し続ける能力は、使用者が締結具の正確な配置を確実にすることを可能にする。
【００７３】
[0081]図３Ｂは、凸状湾曲外部表面を示す第１側面からの、図３Ａの位置表示器ツール３００の図である。図３Ｂに示されるように、レーザ素子３３０は、装着部３２０の上部表面を超えて伸びている。レーザ素子３３０を作動させるため、レーザ素子３３０を装着部３２０から押し出す。当業者には理解されるように、レーザの作動は、いろいろな方法で達成できる。一実施形態において、全体のレーザ素子は、たとえば、底部から押されて、ハウジングの外に延びる。レーザ素子を押すステップは、光をオンにする。レーザをハウジングに押し戻すステップは、レーザ光をオフにする。他の構成において、締結具設置ツールが作業面と係合するときに作動するスイッチ素子が設けられてもよい。作業面から締結具設置ツールを取り外すと、レーザ光は消される。他の構成において、スイッチは、ツールのハンドル上に設けることができる。更なる他の構成では、装着片およびツールを互いに対してねじることによって光を作動させることができる。更なる他の構成では、ブルートゥース式スイッチを設けることができる。もっと更なる他の構成では、ツール内側のスピニングマンドレルに関連するスイッチを設けることができる。マンドレルのスピニングは、スイッチを作動させ、レーザを点灯させる。
【００７４】
[0082]図３Ｃは、凹状湾曲内部表面を示す第２側面からの図３Ａの位置表示器ツール３００の図である。図３Ｄは、図３Ｂの図から９０度回転された位置表示器ツール３００を図示する。この図から明らかであるのは、半円形状を備えた開放端部３０２、中心線から離れて延びるフランジ３５０である。位置表示器ツール３００も、気泡水準器装着部上に示されるように、舌部及び切欠きの特徴部を有することができる。
【００７５】
[0083]伸縮式アダプタ
【００７６】
[0084]図４Ａは、駆動装置４９０及び伸縮式アダプタ４１０を備えた締結具設置ツール１００を図示する。締結具設置ツール１００は、遠位端部４で伸縮式アダプタ４１０と係合する。伸縮式アダプタの近位端部２は、駆動装置４９０と係合する。駆動装置４９０は、高荷重ハンドツールのような任意の適したツールである。適した高荷重ツールは、たとえば、電動ドリルが含まれる。
【００７７】
[0085]図４Ｂは、伸縮式アダプタ４１０の一部分の詳細である。伸縮式アダプタは、第１管状部材４１２と、第１管状部材４１２の内部に嵌合する第２管状部材４１４とを有する。第１管状部材４１２は、第２管状部材４１４より大きな直径を有してもよい。２つの管状部材は、第２管状部材に対して第１管状部材の動きを制御する為にキーが付けられてもよい。キー付き特徴部は、前方および後方の停止位置として作用し得る。細長い溝４１６又はスロットが第２管状部材４１４に形成される。キー部材４２０が設けられるが、このキー部材４２０は、細長い溝４１６内部に嵌合する為の細長い本体４２２と、第１管状部材４１２内の孔４１８内部に嵌合する大きさの隆起要素４２０とを有する。キー部材４２０の細長い本体４２２は、第１管状部材４１２内の孔４１８を通過する。細長い本体４２２は、細長い溝４１６内部に着座するように構成されている。いったん細長い本体４２２が細長い溝４１６内部に位置決めされると、隆起要素４２０が孔４１８内部に着座する。隆起要素４２０の最上表面４２６は、第１管状部材４１２の外部表面と同一平面でもよく、あるいは、第１管状部材４１２の外部表面の上方に延びてもよい。所定位置にしっかりとキー部材４２０を固定する為に、ネジのような一つ又は複数の固定装置（図示せず）を使用できる。固定装置は、第１管状部材４１２内の孔４２２，４２４およびキー部材４２０を通過するであろう。
【００７８】
[0086]図４Ｃは、伸縮式アダプタ４１０の近位端部２の詳細である。ドリルチャック４６０は、マンドレル４５０と係合し、マンドレル４５０は、伸縮管４５４内部を自由にスピンする。
【００７９】
[0087]図４Ｄは、近位端部におけるマンドレル４５０および遠位端部に向かうビット４５２を備えた伸縮式アダプタ４１０の詳細を示す。
【００８０】
[0088]装置およびシステムの使用
【００８１】
[0089]図５Ａ−図５Ｅは、締結具、たとえば、木枠コンポーネントを設置するときに使用される締結具設置ツールを図示する。突出物１１６は、締結具が、たとえば、ラフタ内に打ち込まれている間、使用中にツールを安定させる為のフォークとして作用する。
【００８２】
[0090]図５Ａ−図５Ｄに図示されるように、ラフタ１０は最上板２０に隣接している。垂直スタッド３０は、９０度で最上板２０と係合する。締結具設置ツール１００の移動は、角度付きマーカー１４２，１４４の配向を変更し、マーカーの一つは、最上板２０または垂直スタッド３０の一方に対して平行である。図５Ａに示されるように、角度付きマーカー１４２は、垂直スタッド３０に対して、ほぼ平行に位置決めされる。角度付きマーカー１４２は、締結具設置ツール１００の本体とは視覚的に異なるので、使用者は、たとえば、垂直スタッド３０に対して、マーカー１４２の位置を容易に判断することができる。最上板２０の前面およびスタッド３０は、本質的に同一平面上にある。角度付きマーカー１４２は、たとえば、目標の表面に対して、視覚的基準を与える。角度付きマーカー１４２のいずれかを、たとえば、垂直になるように位置決めすることによって、ネジ８０の正確な設置角度を確保する。さらに、使用者は、角度付きマーカー１４２を、視線内の他の垂直表面または縁部と視覚的に比較することができる。この設計の他の特徴は、内側に位置決められるノッチ１１７，１１７’に角度が付けられ、図５Ａに示されるように、最上板２０との簡単かつ快適な係合を可能にすることである。これは、ツールがしっかりと位置決めされるという触覚的フィードバックを使用者に与える。
【００８３】
[0091]図５Ａにおいて、伸縮式アダプタ４１０に取り付けられた締結具設置ツール１００は、最上板２０の側部表面２２と一定角度で係合する。突出部１１６の内側に位置決められるノッチ１１７の一つが最上板２０の側部表面２２に位置決められ、第２突出部１１６’が最上板２０の下部表面上に位置決められるように、締結具設置ツール１００は位置決めされる。締結具８０の遠位先端は、溝１１５の凹部面を超えて伸びる。使用者は、締結具設置ツール１００および締結具８０の入射角を変える為に、伸縮式アダプタ４１０を上方に移動させることができる。さらに、使用者は、締結具設置ツール１００および締結具８０の入射角を変える為に伸縮式アダプタ４１０を左右に移動させることができる。
【００８４】
[0092]図５Ｂに移ると、図５Ａに図示された配置から９０度回転された最上板２０および垂直スタッド３０の交差部に、伸縮式アダプタ４１０に取り付けられた締結具設置ツール１００が示されている。さらに、水準器ツール２００は、締結具設置ツール１００の直下の伸縮式アダプタ４１０上に位置決められる。使用者は、使用中、ロッカー１３０が垂直スタッド３０の表面３２と係合するように伸縮式アダプタを前後に移動させることができる。水準器ツール２００は、使用者が、水準器ツール２００を見上げてツール自体が所望の配向であるかを判断できるように位置決めされる。
【００８５】
[0093]図５Ｃは、伸縮式アダプタ４１０と係合する締結具設置ツール１００を図示する。締結具設置ツールは、下部表面２４上の最上板２０と第２表面３４上の垂直スタッド３０と係合する。使用者は、ロッカー１３０および視覚的表示器１１２により、本質的にラフタ中心を狙うことができる。ラフタがスタッド中心でないとき、使用者は、必要に応じて、ロッカー１３０の係合を利用し、迅速かつ容易に設置角度を調整することができる。一部の構成において、伸縮式アダプタ４１０および締結具設置ツール１００は、垂直スタッド３０の前後に移動される。
【００８６】
[0094]図５Ｄは、伸縮式アダプタ４１０に取り付けられた締結具設置ツール１００を図示する。さらに、位置表示器ツール３００は、締結具設置ツール１００の直下に伸縮式アダプタ４１０上に位置決めされる。最上板２０および垂直スタッド３０の交差部から離れて位置決められた締結具設置ツール１００が示されている。使用中、レーザ素子３３０が作動し、光線３３２が発生する。レーザ素子３３０からの光線３３２は、締結具が最上板２０を貫通する相対的場所の視覚的フィードバックを使用者に与える。図示のため、位置表示器ツール３００は、最上板２０の下部表面の下に示されている。しかしながら、位置表示器ツール３００は、使用中、スタッド３０の側面からラフタ１０の下方への設置を可能にする。そのため、当業者には理解されるように、図示された垂直設置は参照を容易にするためのものである。位置表示器ツール３００は、使用中、垂直以外の角度での設置を可能にするであろう。
【００８７】
[0095]たとえば、屋根支持構造の最上板と締結具設置ツール１００の係合前に、締結具８０は、結合器の近傍の締結具ヘッドまたは結合器と係合する締結具ヘッドを用いて、締結具の溝に配置される。締結具８０の一部分は、通常、遠位端部４に隣接する伸縮式アダプタ４１０のチャンバに最初に受容される。マンドレル４５０は、伸縮式アダプタ４１０の近位開口に近接している。締結具８０は、駆動装置４９０からのトルクを加えることによって、最上板２０を通って屋根支持部材に打ち込まれるので、伸縮式アダプタ４１０の遠位端部４に適切に位置決めされた締結具設置ツール１００は、締結具８０の為に入口点を設けることが理解される。駆動装置４９０は、伸縮式アダプタ４１０から容易に分解することができる。当業者によって理解されるように、伸縮式アダプタ４１０は、トルク式駆動装置４９０が伸縮式アダプタ４１０と完全に一体化されることなく、広範囲の分解可能なドリルガンを受容して機能的に取り付けるように構成されたレシーバを使用してもよい。
【００８８】
[0096]図５Ｅは、遠位端部が最上板２０と係合し、締結具設置ツール１００の側部表面が垂直スタッド３０の側面と係合する、締結具設置ツールの詳細断面である。締結具は、中央の溝内に位置決めされる。ｈは、ツールおよび締結具の中心軸に対して平行な寸法である。ｙは、垂直スタッド３０およびｈの間に形成される三角形の短辺であり、θは、垂直部材３０およびｈの間の角度である。
【００８９】
[0097]図７Ａ−図７Ｅに移ると、図７Ａには、伸縮式アダプタ４１９に連結された締結具設置ツール１００が図示されている。前述されたように、締結具設置ツール１００は、図７Ｂに示されるように、伸縮式アダプタ４１０から取り外すことができる。一部の使用状況では、締結具設置ツール１００および駆動装置４９０（図４Ａに図示）の間の追加の距離が望ましい場合がある。追加の距離が望ましい場合、締結具設置ツール１００は、延長コネクタ７２０を介して、二次延長部７１０と係合する。
【００９０】
[0098]締結具設置ツール１００は、一つ又は複数の延長コネクタ７２０を介して一つ又は複数の二次延長部７１０に連結されるモジュラーシステムの一部でもよい。モジュラー構成は、使用者から離れた様々な距離でツールが使用されることを可能にする。これにより、使用者は、地面に残りながら、目標の角度で枠組みコンポーネントを固定することができるので、枠組みコンポーネントを固定する為に、或いは、締結具の目標角度を達成する為に梯子に登る必要がなくなる。
【００９１】
[0099]図７Ｃは、締結設置ツール１００，二次延長部７１０，延長コネクタ７２０および伸縮式アダプタ４１０を図示する。これらのコンポーネントが連結されるとき、締結具設置ツール１００は、締結具設置ツール１００の近位端部および二次延長部７１０の遠位端部で、二次延長部７１０と係合する。二次延長部７１０は、二次延長部７１０の近位端部および延長コネクタ７２０の遠位端部で延長コネクタ７２０と係合する。延長コネクタ７２０は、延長コネクタ７２０の近位端部および伸縮式アダプタ４１０の遠位端部で伸縮式アダプタ４１０と係合する。図７Ｄは、二次延長部７１０、延長コネクタ７２０および伸縮式アダプタ４１０間の連結部の側面図である。延長部およびアダプタと係合する締結具の横断面は、図７Ｅに図示されている。図示されているように、二次延長部７１０および伸縮式アダプタ４１０は、延長コネクタ７２０の内部で嵌合する。
【００９２】
[00100]本発明の好ましい実施形態が示され、説明されてきたが、当業者にとって、そのような実施形態が例示の為に提供されていることは明らかであろう。当業者であれば、本発明から逸脱することなく、数多くの変形、変更、置換を思い付くであろう。本書で説明された本発明の実施形態に対する様々な代替が本発明を実施する際に使用可能であることを理解されたい。以下の特許請求の範囲は、本発明の範囲を規定すること、更に、これらの特許請求の範囲内の方法、構造、並びに、それらの均等物が、それによって包含されることが意図されている。
【図１Ａ】
2019206903.tif 000003
【図１Ｂ】
2019206903.tif 000004
【図１Ｃ】
2019206903.tif 000005
【図１Ｄ】
2019206903.tif 000006
【図１Ｅ】
2019206903.tif 000007
【図１Ｆ】
2019206903.tif 000008
【図２Ａ】
2019206903.tif 000009
【図２Ｂ】
2019206903.tif 000010
【図２Ｃ】
2019206903.tif 000011
【図２Ｄ】
2019206903.tif 000012
【図３Ａ】
2019206903.tif 000013
【図３Ｂ】
2019206903.tif 000014
【図３Ｃ】
2019206903.tif 000015
【図３Ｄ】
2019206903.tif 000016
【図４Ａ】
2019206903.tif 000017
【図４Ｂ】
2019206903.tif 000018
【図４Ｃ】
2019206903.tif 000019
【図４Ｄ】
2019206903.tif 000020
【図５Ａ】
2019206903.tif 000021
【図５Ｂ】
2019206903.tif 000022
【図５Ｃ】
2019206903.tif 000023
【図５Ｄ】
2019206903.tif 000024
【図５Ｅ】
2019206903.tif 000025
【図６】
2019206903.tif 000026
【図７Ａ】
2019206903.tif 000027
【図７Ｂ】
2019206903.tif 000028
【図７Ｃ】
2019206903.tif 000029
【図７Ｄ】
2019206903.tif 000030
【図７Ｅ】
2019206903.tif 000031
【外国語明細書】
2019206903000001.pdf